(57)【特許請求の範囲】
【請求項１】
２個一対のコンデンサマイクロホンユニットの出力インピーダンスを低インピーダンスに変換する２個一対の真空管を備え、上記２個一対の真空管が上記２個一対のコンデンサマイクロホンユニットによる電気音響変換信号を平衡出力するように接続されたコンデンサマイクロホン用インピーダンス変換器であって、
上記２個一対の真空管は、同一仕様の真空管であり、同じ向きに並列に並べられて一体に結合されているコンデンサマイクロホン用インピーダンス変換器。
【請求項２】
２個一対の真空管は、ともに電池で駆動可能な超小型の真空管である請求項１記載のコンデンサマイクロホン用インピーダンス変換器。
【請求項３】
２個一対の真空管は、接着剤によって一体に結合されている請求項１または２記載のコンデンサマイクロホン用インピーダンス変換器。
【請求項４】
２個一対の真空管は、保持体の介在のもとに接着剤によって一体に結合されている請求項１、２または３記載のコンデンサマイクロホン用インピーダンス変換器。
【請求項５】
２個一対の真空管は、各グリッドにコンデンサマイクロホンユニットの出力信号が入力されるとともにカソードフォロワ出力されるように接続され、
上記各真空管とともにカスケード接続されて上記各真空管に流れる電流を規定する２個一対のＦＥＴと、上記各真空管のグリッドにバイアス電圧を加えるバイアス回路と、を備え、
上記各真空管、ＦＥＴ、固定バイアス回路がそれぞれ対をなして並列的に接続されることにより上記各真空管のカソードフォロワ出力が平衡出力となるように接続されている請求項１乃至４のいずれかに記載のコンデンサマイクロホン用インピーダンス変換器。
【請求項６】
対をなす固定バイアス回路相互間に、上記対をなす真空管に流れる電流を調整して平衡出力の平衡性を調整する調整部材を備えている請求項５記載のコンデンサマイクロホン用インピーダンス変換器。
【請求項７】
真空管は三極管である請求項１乃至６のいずれかに記載のコンデンサマイクロホン用インピーダンス変換器。
【請求項８】
互いに逆位相の二つの信号を出力するコンデンサマイクロホンユニットと、高い入力インピーダンスと低い出力インピーダンスを持ち上記コンデンサマイクロホンユニットの各出力信号を入力とするインピーダンス変換器を備えたコンデンサマイクロホンであって、
上記インピーダンス変換器は、請求項１乃至７のいずれかに記載のコンデンサマイクロホン用インピーダンス変換器であるマイクロホン。
【発明の詳細な説明】
【技術分野】
【０００１】
本発明は、真空管を用いたコンデンサマイクロホン用インピーダンス変換器およびコンデンサマイクロホンに関するもので、真空管が物理的に振動することによって発生する雑音を低減することを目的とするものである。
【背景技術】
【０００２】
コンデンサマイクロホンは有効静電容量が小さく、出力インピーダンスが高いため、周波数応答を低周波数領域まで確保するには、コンデンサマイクロホンの出力信号を高い入力インピーダンスで受ける必要がある。また、コンデンサマイクロホンの出力信号を、ケーブルなどを経由して増幅器などに入力するためには、コンデンサマイクロホンの出力インピーダンスを低くする必要がある。そこで、コンデンサマイクロホンには、高い入力インピーダンスと低い出力インピーダンスを持つインピーダンス変換器が内蔵されている。コンデンサマイクロホンに内蔵されているインピーダンス変換素子としては、電界効果トランジスタ（ＦＥＴ）が広く用いられている。
【０００３】
コンデンサマイクロホンの音質をより高めるために、また、最大出力レベルを高めるために、インピーダンス変換素子として真空管（電子管ともいわれる）を用いたものがある（例えば、特許文献１参照）。特許文献１には、実施例の一つとして、プレート接地された増幅管と、この増幅管のグリッドに加えるバイアス電圧を発生するバイアス回路とを有するインピーダンス変換器において、上記バイアス回路が、上記増幅管のグリッドに向けて電流を流すようにバイアス電圧を上記グリッドに加える第１のダイオードと、第１のダイオードと逆向きにして並列に接続された第２のダイオードと、上記増幅管のカソードから負荷抵抗に向けて電流を流すように、カソードと負荷抵抗との間に接続された第３のダイオードとを備え、上記増幅管に流れるプレート電流によって第３のダイオードに発生する電圧を、第１、第２のダイオードを介して増幅管のグリッドにバイアス電圧として加えるようにしたインピーダンス変換器が記載されている。
【０００４】
ところで、マイクロホンの出力は、その伝送路に雑音となる電界や磁界が加わっても音声信号に雑音を発生させないように、一般的にホット側とコールド側に分けられた平衡信号で出力される。平衡信号で出力する場合、ホット側とコールド側のインピーダンスが同一であることが求められる。そこで、マイクロホンの出力回路部分に、センタータップ付きの２次コイルを有する出力トランスを用い、ホット側とコールド側の出力インピーダンスを同一にすることが広く行われている。
【０００５】
しかしながら、出力回路にトランスを用いると、トランスによって音色が変わり、これを好まないユーザーがいるため、出力トランスを省略することができる回路構成にしたものがある。例えば、二つのマイクロホンユニットとそれぞれのインピーダンス変換素子そしての真空管を備え、各真空管のバイアス回路は、それぞれの真空管のグリッドにバイアス電圧を加える第１のダイオードと、この第１のダイオードに並列かつ逆向きに接続した第２のダイオードを有する回路構成とする。各真空管のカソードから、位相が互いに逆向きのホット側信号とコールド側信号を平衡出力することができる。
【０００６】
しかし、上記のような、回路構成のマイクロホンユニットおよびそのインピーダンス変換器によれば、二つの真空管のバイアス電圧を同じにしても、双方の真空管の電流にばらつきが発生する。双方の真空管の電流がばらつくと、カソードフォロワ接続された出力回路のインピーダンスもばらつき、平衡出力のバランスが崩れ、出力回路やマイクロホンケーブルに電界や磁界が加わると、音声信号に雑音が混入する難点がある。
【０００７】
そこで、本発明者は、マイクロホンユニットの出力信号がグリッドに入力されカソードフォロワ出力される真空管と、上記真空管とカスケード接続され上記真空管に流れる電流を規定するＦＥＴと、上記真空管のグリッドにバイアス電圧を加えるバイアス回路と、を備え、上記真空管、ＦＥＴ、固定バイアス回路がそれぞれ対をなして対称形に接続されることにより二つのカソードフォロワ出力が平衡出力となっており、上記対をなす固定バイアス回路相互間に、上記対をなす真空管に流れる電流を調整して平衡出力の平衡性を調整する調整部材を備えているマイクロホン用インピーダンス変換器および上記インピーダンス変換器を用いたマイクロホンを発明して特許出願した（特許文献２参照）。
【０００８】
特許文献２記載の発明によれば、真空管、ＦＥＴ、固定バイアス回路を一対ずつ備え、二つの真空管のカソードフォロワ出力により平衡出力させ、対をなす真空管に流れる電流を調整して平衡出力の平衡性を調整する調整部材を、上記対をなす固定バイアス回路相互間に設けたため、平衡出力双方のインピーダンスを同一にすることができ、もって、出力信号伝送路に雑音が混入することを防止することができる。
【先行技術文献】
【特許文献】
【０００９】
【特許文献１】米国特許第６，４５３，０４８号公報
【特許文献２】特開２０１０−２７３１９５号公報
【発明の概要】
【発明が解決しようとする課題】
【００１０】
以上説明したように、マイクロホン用インピーダンス変換器として真空管を用い、それにまつわる技術的課題を解決しながら技術が進歩しつつある。真空管は、真空に保たれているガラス管などの容器内に金属部品からなる内蔵部品が組み込まれたものであって、トランジスタなどの半導体素子と比較すると機械的寸法が大きい。上記内蔵部品は、熱電子を発生させるためのヒータ、陰極を構成するカソード、陽極を構成するプレート、カソードとプレートの間にあって電子の動きを制御するグリッドなどである。真空管に外部から振動や衝撃が加わると、上記各金属部品が振動する。各金属部品はそれぞれの慣性力が異なるため、各金属部品は相互の位置関係を変位させながら振動し、真空管内の電子の移動条件が変動して振動雑音が発生する。この振動雑音は、あたかもマイクロホンの振動板が振動することによって生じる雑音と同じような音になるため、「マイクロホニックノイズ」と言われている。
【００１１】
インピーダンス変換器として真空管を用いたマイクロホンでは、マイクロホンユニット本体が発する振動雑音に、外部から振動や衝撃が加わることによって発生する上記マイクロホニックノイズが加わる。マイクロホンユニットは空気中にあるため、外部からの振動や衝撃を要因とする振動板の振動は空気の粘性抵抗により比較的短時間で減衰し、振動雑音は短時間で収束する。しかし、真空管の内部は真空に保たれているため、内蔵部品には空気の粘性抵抗による制動がかからず、真空管の構造を要因とするマイクロホニックノイズは、マイクロホンユニット本体が発する振動雑音よりも減衰するのに長い時間がかかる。
【００１２】
本発明は、インピーダンス変換器として真空管を用いたコンデンサマイクロホンの上記問題点を解消すること、すなわち、振動や衝撃によって真空管の内蔵部品が変位することによる振動雑音の出力を打ち消すことができるコンデンサマイクロホン用インピーダンス変換器およびコンデンサマイクロホンを提供することを目的とする。
【課題を解決するための手段】
【００１３】
本発明に係るコンデンサマイクロホン用インピーダンス変換器は、
２個一対のコンデンサマイクロホンユニットの出力インピーダンスを低インピーダンスに変換する２個一対の真空管を備え、上記２個一対の真空管が上記２個一対のコンデンサマイクロホンユニットによる電気音響変換信号を平衡出力するように接続されたコンデンサマイクロホン用インピーダンス変換器であって、
上記２個一対の真空管は、同一仕様の真空管であり、同じ向きに並列に並べられて一体に結合されていることを最も主要な特徴とする。
【００１４】
本発明に係るコンデンサマイクロホンは、インピーダンス変換器として上記本発明に係るコンデンサマイクロホン用インピーダンス変換器を備えていることを特徴とする。
【発明の効果】
【００１５】
外部から振動や衝撃が加わると、２個一対の真空管は同一条件のもとに振動して同一の振動雑音を発生する。上記各真空管は２個一対のコンデンサマイクロホンユニットによる電気音響変換信号を平衡出力するように接続されているため、２個一対の真空管で生じる上記振動雑音は互いに逆位相となって加算され、相殺される。
【図面の簡単な説明】
【００１６】
【図１】本発明に係るコンデンサマイクロホン用インピーダンス変換器およびコンデンサマイクロホンの回路構成例を示す回路図である。
【図２】本発明に適用可能な２個一対の真空管の一体結合構造の例を示す横断面図である。
【図３】本発明に適用可能な結合前の単独の真空管の例を示す横断面図である。
【発明を実施するための形態】
【実施例】
【００１７】
以下、本発明に係るコンデンサマイクロホン用インピーダンス変換器およびコンデンサマイクロホンの実施例を、図面を参照しながら説明する。まず、図３に示す回路構成例について説明する。
【００１８】
図３において、符号１１，１２はコンデンサマイクロホンユニットを示している。コンデンサマイクロホンユニット１１および１２は、それぞれ音圧を受けて振動する振動板とこの振動板に所定の間隔をおいて対向する固定電極を有してなる。各マイクロホンユニット１１，１２は同一の設計仕様になっていて、双方の振動板は同一平面上にあって同一の向きになっている。マイクロホンユニット１１の固定電極とマイクロホンユニット１２の振動板はアースされている。マイクロホンユニット１１の振動板は結合コンデンサ１５を介して第１の真空管２１のグリッドに、マイクロホンユニット１２の固定電極は結合コンデンサ２５を介して第２の真空管２２のグリッドに接続されている。したがって、マイクロホンユニット１１の出力信号とマイクロホンユニット１２の出力信号は互いに逆位相である。マイクロホンユニット１１の出力信号は、結合コンデンサ１５を経て真空管２１のグリッドに入力され、マイクロホンユニット１２の出力信号は、結合コンデンサ２５を経て真空管２２のグリッドに入力される。
【００１９】
二つの真空管２１，２２はいずれもインピーダンス変換素子として用いられている。真空管２１のプレートには、高電圧電源入力端子５から、例えば、１２０Ｖの高圧直流電圧が抵抗３３を介して印加され、真空管２２のプレートには、上記端子５から、高圧直流電圧が抵抗３５を介して印加される。
【００２０】
真空管２１はカソードフォロワ出力するように接続され、また、ＦＥＴ３１とともにカスケード接続されている。より具体的には、真空管２１のカソードはＦＥＴ３１のドレインに、ＦＥＴ３１のソースは真空管２１のプレート電流制御用の抵抗４２を介してアースに接続されている。真空管２１のプレートとＦＥＴ３１のベースとの間にはコンデンサ３４が接続され、ＦＥＴ３１のベースとアースとの間には抵抗４１が接続されている。真空管２１のカソードからインピーダンス変換出力信号が出力され、この出力信号は電解コンデンサ４７を介してコールド側出力端子３から外部に向けて出力されるようになっている。
【００２１】
真空管２１のグリッドには、以下に述べるようなバイアス回路によってバイアス電圧が加えられる。端子５からは直流高電圧が供給され、端子５とアースとの間に直列接続された分圧抵抗３７，５２によって上記高電圧が分圧され、この分圧点がバイアス抵抗３８とダイオード１７およびダイオード１８を介して真空管２１のグリッドに接続されている。ダイオード１７およびダイオード１８は、それぞれ直列接続された２個のダイオードからなり、ダイオード１７およびダイオード１８は互いに逆向きにして並列に接続されている。ダイオード１７のカソード、ダイオード１８のアノードが抵抗３８に、ダイオード１７のアノード、ダイオード１８のカソードが真空管２１のグリッドに接続されている。
【００２２】
抵抗３８とダイオード１７、１８の接続点をＡ点とすると、このＡ点と真空管２１のカソードとの間に電解コンデンサ４５が接続されている。ダイオード１７を第１のダイオードとし、ダイオード１８を第２のダイオードとする。上記分圧抵抗３７，５２による分圧点の電圧は、バイアス抵抗３８を経て、さらに第１のダイオード１７または第２のダイオード１８を経て真空管２１のグリッドに加えられる。分圧抵抗５２には電解コンデンサ５３が並列に接続されている。
【００２３】
マイクロホンユニット１１の振動板には、前記端子５から、抵抗２０と、互いに逆向きに並列接続されたダイオード１３，１４を介して直流電圧が印加されるように接続されている。ダイオード１３，１４は、前記結合コンデンサ１５，１６の介在のもとに上記第１、第２のダイオード１７，１８と並列に接続されている。ダイオード１３，１４は上記直流電圧源からマイクロホンユニット１１に成極電圧を供給するためのものである。結合コンデンサ１５，１６は、マイクロホンユニット１１の出力信号から上記直流電圧を分離し、マイクロホンユニット１１の出力信号のみを真空管２１のグリッドに入力させる働きをしている。
【００２４】
上記第１、第２のダイオード１７，１８はともに直列接続された２個の素子からなり、これに合わせてダイオード１３，１４も直列接続された２個の素子からなる。これら各ダイオードを構成する素子の数は任意で、１個だけでもよい。各ダイオードを構成する素子の数を増やせば、真空管２１のグリッドに印加されるバイアス電圧が深く（大きく）なる。
【００２５】
ここまで真空管２１を中心とした回路構成について説明してきたが、もう一つの真空管２２を中心とした回路構成も真空管２１を中心とした回路構成と同じになっている。上記２個一対の真空管２１，２２は、図３に示す回路図上では対称形に描かれているが、実質的には並列的に接続されている。以下、真空管２２を中心とした回路構成について説明する。
【００２６】
真空管２２はカソードフォロワ出力するように接続され、また、ＦＥＴ３２とともにカスケード接続されている。より具体的には、真空管２２のカソードはＦＥＴ３２のドレインに、ＦＥＴ３２のソースは真空管２２のプレート電流制御用の抵抗４４を介してアースに接続されている。真空管２２のプレートとＦＥＴ３２のベースとの間にはコンデンサ３６が接続され、ＦＥＴ３２のベースとアースとの間には抵抗４３が接続されている。真空管２２のカソードからインピーダンス変換出力信号が出力される。この出力信号は電解コンデンサ４８を介してホット側出力端子２から外部に向けて出力されるようになっている。
【００２７】
真空管２２のグリッドには、以下に述べるようなバイアス回路によってバイアス電圧が加えられる。直列接続された前記分圧抵抗３７，５２による分圧点はバイアス抵抗３９とダイオード２７およびダイオード２８を介して真空管２２のグリッドに接続されている。ダイオード２７およびダイオード２８は、それぞれ直列接続された２個のダイオードからなり、互いに逆向きにして並列に接続されている。ダイオード２７のカソード、ダイオード２８のアノードが抵抗３９に、ダイオード２７のアノード、ダイオード２８のカソードが真空管２２のグリッドに接続されている。
【００２８】
抵抗３９とダイオード２７、２８の接続点をＢ点とすると、このＢ点と真空管２２のカソードとの間に電解コンデンサ４６が接続されている。ダイオード２７を第１のダイオードとし、ダイオード２８を第２のダイオードとする。上記分圧点の電圧は、バイアス抵抗３９を経て、さらに第１のダイオード２７または第２のダイオード２８を経て真空管２２のグリッドに加えられる。
【００２９】
マイクロホンユニット１２の固定電極には、抵抗３０と、互いに逆向きに並列接続されたダイオード２３，２４を介して前記端子５から直流電圧が印加されるように接続されている。ダイオード２３，２４は、前記結合コンデンサ２５，２６の介在のもとに上記第１、第２のダイオード２７，２８と並列に接続されている。ダイオード２３，２４は上記直流電圧源からマイクロホンユニット１２の固定電極に成極電圧を供給するためのものである。結合コンデンサ２５，２６は、マイクロホンユニット１２の出力信号から上記直流電圧を分離し、マイクロホンユニット１２の出力信号のみを真空管２２のグリッドに入力させる働きをしている。
【００３０】
上記第１、第２のダイオード２７，２８はともに直列接続された２個の素子からなり、これに合わせてダイオード２３，２４も直列接続された２個の素子からなる。これら各ダイオードを構成する素子の数は任意で、１個だけでもよい。各ダイオードを構成する素子の数を増やせば、真空管２２のグリッドに印加されるバイアス電圧が深く（大きく）なる。
【００３１】
ここまで説明してきたように、図３に示す回路例は、真空管、ＦＥＴ、固定バイアス回路がそれぞれ対をなして並列的に（回路図上対称形に）接続されることにより二つのカソードフォロワ出力によって平衡出力となるように構成されている。そして、上記対をなす固定バイアス回路相互間に、上記対をなす真空管２１，２２に流れる電流を調整して平衡出力の平衡性を調整する調整部材として可変抵抗４０を備えていることが、この回路例の特徴となっている。より具体的に説明すると、ＦＥＴ３１のソースとＦＥＴ３２のソースとの間に可変抵抗４０の両端の固定端子が接続され、可変抵抗４０の可変端子がアースに接続されている。
【００３２】
真空管２１を流れる電流はＦＥＴ３１を流れる電流と同じであり、同様に、真空管２２を流れる電流はＦＥＴ３２を流れる電流と同じである。これらの電流は、プレート電流制御用抵抗４２，４４で規制され、さらに可変抵抗４０の調整位置によって規制される。可変抵抗４０を調整して、真空管２１の電流を増加させると真空管２２の電流が減少し、真空管２１の電流を減少させると真空管２２の電流が増加する関係になる。そこで、真空管２１，２２の電流が等しくなるように可変抵抗４０を調整する。このように調整することによって、カソードフォロワにより平衡出力されるホット側とコールド側のインピーダンスが等しくなって良好な平衡性が保たれ、出力信号伝送路に外部から電解や磁界が加わっても、出力信号に雑音が混入することを防止することができる。可変抵抗４０は、一度調整すると半固定的に調整位置を保持する半固定抵抗を用いるとよい。
【００３３】
インピーダンス変換器は、すでに説明した直流高圧電源入力端子５、コールド側出力端子３、ホット側出力端子２、アース端子１のほかに、ヒータ電源端子４を備えている。ヒータ電源端子４とアース端子１との間に真空管２１，２２のヒータ５１が接続されている。
【００３４】
アース端子１と、ホット側出力端子２と、コールド側出力端子３を、コネクタなどを介して平衡ケーブルに接続し、この平衡ケーブルを介して外部機器に接続することができる。あるいは、例えばマイクロホンケースなどにトランスを配置し、トランスの一次巻線の両端にそれぞれ上記出力端子２、３を接続し、上記トランスの二次巻線の両端をそれぞれマイクロホンコネクタのコールド側端子、ホット側端子に接続し、アース端子１を上記マイクロホンコネクタのアース端子に接続し、マイクロホンコネクタの上記ホット側端子、コールド側端子およびグランド端子によって平衡出力するようにしてもよい。
【００３５】
以上説明した回路例によれば、高出力インピーダンスのコンデンサマイクロホンユニット１１，１２の出力信号が、カソードフォロワ接続された高入力インピーダンスの真空管２１，２２のグリッドに入力される。真空管２１，２２はカソードフォロワ出力されることにより、出力インピーダンスは低インピーダンスとなる。
【００３６】
ダイオード１７，１８および２７，２８は以下のようにして真空管２１，２２にバイアス電圧を与える。すなわち、前記結合点Ａ、Ｂに発生するバイアス電圧をＶｃ、そのときの真空管２１，２２のグリッド電圧をＶｄとする。グリッド電圧Ｖｄがバイアス電圧Ｖｃよりも低くなるように変動したとすると、ダイオードの静特性の中で、順方向の電圧・電流特性によって第１のダイオード１７，２７に電流が流れ、ダイオード１７，２７によって電圧降下Ｖｆが発生する。グリッド電圧Ｖｄはバイアス電圧ＶｃよりもＶｆ分だけ低くなるため、バイアス電圧Ｖｃが浅くなり、真空管２１，２２のプレート電流が増加し、バイアス電圧Ｖｃが大きくなる。これにより、グリッド電圧Ｖｄの変動分が抑えられ、ダイオード１７，２７の電流が減少する。この動作はダイオード１７，２７に電流が流れなくなるまで続く。その結果、ダイオード１７，２７の電流がゼロ、したがってダイオード１７，２７の電圧降下Ｖｆがゼロになるようにグリッド電圧Ｖｄの変動が収束し、グリッド電圧Ｖｄがバイアス電圧Ｖｃに等しくなる。
【００３７】
逆に、グリッド電圧Ｖｄがバイアス電圧Ｖｃよりも高くなるように変動したとすると、第２のダイオード１８，２８が上記の場合の第１のダイオード１７，２７と同様に動作して、グリッド電圧Ｖｄの変動が収束し、グリッド電圧Ｖｄがバイアス電圧Ｖｃに等しくなる。すなわち、真空管２１，２２のグリッド電圧とカソード電圧はほぼ等しくなる。
【００３８】
結果的に、第１、第２のダイオード１７，１８および２７，２８は、交流に対して端子間の電位差がゼロ付近で動作して端子間の電圧降下はゼロであり、実質的にダイオード１７，１８および２７，２８の代わりに高抵抗を接続したのと等価になる。
【００３９】
換言すれば、真空管２１，２２のバイアス回路は、互いに逆向きにして並列に接続された第１、第２のダイオード１７，１８および２７，２８と、バイアス抵抗３８，３９によって構成され、真空管２１，２２のグリッドに一定のバイアス電圧を加える固定バイアス回路を構成している。
【００４０】
また、ＦＥＴ３１，３２のソースとグランドとの間に接続されているプレート電流制御用の抵抗４２，４４と可変抵抗４０が、真空管２１，２２のプレート電流を規定していて、可変抵抗４０を調整することによって双方の真空管２１，２２のプレート電流が等しくなるように制御することができるため、平衡出力のホット側とコールド側のインピーダンスを等しくして、良好な平衡性を維持することができる。
【００４１】
マイクロホンユニット１１，１２からの音声信号は真空管２１，２２を通るので音質の劣化がない。この真空管２１，２２とともにカスケード接続されて真空管２１，２２に流れる電流を規定する回路素子として真空管の代わりにＦＥＴ３１，３２を採用したことにより、高い音質を維持しながら、真空管のヒータによって消費される電力量を軽減することができる。
【００４２】
図３に示す回路例では、各コンデンサマイクロホンユニット１１、１２に成極電圧を印加するために、端子５から抵抗２０，３０、ダイオード１３，１４およびド２３，２４を備えているが、エレクトレット型のコンデンサマイクロホンユニットの場合、上記電圧印加回路は不要である。
【００４３】
ところで、初めに述べたとおり、真空管に外部から振動や衝撃が加わると、「マイクロホニックノイズ」といわれる雑音が発生する。この「マイクロホニックノイズ」といわれる雑音を解消するために、本発明に係る実施例では、上記２個一対の真空管２１，２２を同じ向きに並列に並べて一体に結合している。
【００４４】
図２は真空管の構造の例を示す。真空管２１は、内部が真空に保たれたガラス管などの容器２１０内に、カソード２１１、グリッド２１２、プレート２１４、図示されないヒータなどが内蔵されたものである。グリッド２１２は、平行に立てられた一対のグリッドフレーム２１３にまたがってワイヤが所定の間隔で巻かれた構造になっていて、グリッド２１２内にカソード２１４が位置している。プレート２１４はグリッド２１２の周りを取り囲んでいる。
【００４５】
図１に示すように、前記もう一つの真空管２２も、真空管２１と同一構造で同一仕様の真空管であって、内部が真空の容器２２０内に、カソード２２１、グリッドフレーム２２３、グリッド２２２、プレート２２４、ヒータなどが内蔵されている。
【００４６】
２個一対の真空管２１，２２は、図１に示すように、同じ向きに並列に並べられて接着剤２３により一体に結合されている。したがって、外部から振動や衝撃が加わると、２個一対の真空管２１，２２の内蔵部品は同一条件のもとに同じ方向に同じストロークで振動し同一の振動雑音を発生する。各真空管２１，２２は、図１について説明したように、２個一対のコンデンサマイクロホンユニット１１，１２による電気音響変換信号を平衡出力するように接続されているため、２個一対の真空管２１，２２で生じる上記振動雑音は互いに逆位相となって加算されて相殺され、平衡伝送されるマイクロホンの出力に混入する上記振動雑音を低減することができる。
【００４７】
真空管２１，２２は、マイクロホン内に組み込まれるため、「電池管」と称して電池で駆動される超小型の真空管を使用するとよい。「電池管」は超小型のため、接着剤２３で接着することは容易である。２個一対の真空管２１，２２を直接接着剤２３で接着することが強度などの点で難しいようであれば、互いに接着すべき対向面の空間を埋める形の保持体を介在させ、この保持体の介在のもとに接着剤によって一体に結合するとよい。
【００４８】
図１、図２では、真空管２１，２２の構造が３極管の構造になっているが、真空管の構造ないしは形式は任意で、インピーダンス変換機能があれば、３極管でも、４極管でも、５極管でも、それ以上の電極があってもよい。
【００４９】
ここまでの説明は、コンデンサマイクロホンユニットとコンデンサマイクロホン用のインピーダンス変換器を含む構成部分に関するものである。
【００５０】
本発明に係るコンデンサマイクロホンは、これまで説明してきたようなインピーダンス変換器を備えていることを特徴としている。すなわち、本発明に係るコンデンサマイクロホンは、互いに逆位相の二つの信号を出力するコンデンサマイクロホンユニットと、高い入力インピーダンスと低い出力インピーダンスを持ち上記コンデンサマイクロホンユニットの各出力信号を入力とするインピーダンス変換器を備えたコンデンサマイクロホンであって、上記インピーダンス変換器は、上に述べたようなインピーダンス変換器であることを特徴とする。本出願に係るコンデンサマイクロホンによれば、前述のインピーダンス変換器によって得られるような効果を得ることができる。
【符号の説明】
【００５１】
１１    コンデンサマイクロホンユニット
１２    コンデンサマイクロホンユニット
２１    真空管
２２    真空管
２３    接着剤
３１    ＦＥＴ
３２    ＦＥＴ
【図１】
0005805512.tif 000002
【図２】
0005805512.tif 000003
【図３】
0005805512.tif 000004